(57)【要約】【課題】音符データ及び／又は休符データの音価を変更した際に音楽的に正しい楽譜に変更することができる音価変更装置、方法及びプログラムを提供することを課題とする。【解決手段】複数の音符データ及び／又は休符データを含む楽譜データを記憶する記憶手段と、音符データ及び／又は休符データの音価を変更する倍率を指定する倍率指定手段と、前記倍率指定手段により指定された倍率で、前記記憶手段に記憶されている複数の音符データ及び／又は休符データの音価を変更する音価変更手段と、前記音価変更手段により音価が変更されると、前記記憶手段に記憶されている楽譜データ内の小節線の位置を変更、又は前記記憶手段に記憶されている楽譜データ内の拍子記号を変更する楽譜変更手段とを有することを特徴とする音価変更装置が提供される。【選択図】図４
2010186063.tif 000002
【特許請求の範囲】
【請求項１】
複数の音符データ及び／又は休符データを含む楽譜データを記憶する記憶手段と、
音符データ及び／又は休符データの音価を変更する倍率を指定する倍率指定手段と、
前記倍率指定手段により指定された倍率で、前記記憶手段に記憶されている複数の音符データ及び／又は休符データの音価を変更する音価変更手段と、
前記音価変更手段により音価が変更されると、前記記憶手段に記憶されている楽譜データ内の小節線の位置を変更、又は前記記憶手段に記憶されている楽譜データ内の拍子記号を変更する楽譜変更手段と
を有することを特徴とする音価変更装置。
【請求項２】
さらに、小節線の位置の変更又は拍子記号の変更を指定する変更方法指定手段を有し、
前記楽譜変更手段は、前記変更方法指定手段の指定に応じて、前記記憶手段に記憶されている楽譜データ内の小節線の位置を変更、又は前記記憶手段に記憶されている楽譜データ内の拍子記号を変更することを特徴とする請求項１記載の音価変更装置。
【請求項３】
前記楽譜変更手段は、前記変更された音価に応じて前記記憶手段に記憶されている楽譜データ内の小節線の位置を変更すると、前記小節線をまたぐ音符データが存在する場合には、前記小節線をまたぐ音符データを２つに分割し、前記分割した音符データをタイでつなぎ、前記分割した音符データ間に小節線を追加するように前記楽譜データを変更することを特徴とする請求項１又は２記載の音価変更装置。
【請求項４】
前記楽譜変更手段は、前記変更された音価に応じて小節線をまたいでタイでつながる２個の音符データ間の小節線を削除する場合には、前記小節線をまたいでタイでつながる２個の音符データを１個の音符データに統合し、前記小節線をまたぐタイを削除するように前記楽譜データを変更することを特徴とする請求項１〜３のいずれか１項に記載の音価変更装置。
【請求項５】
さらに、前記記憶手段に記憶されている変更前の楽譜データ、及び前記音価変更手段及び前記楽譜変更手段により変更された変更後の楽譜データをならべて表示する表示手段を有することを特徴とする請求項１〜４のいずれか１項に記載の音価変更装置。
【請求項６】
さらに、前記変更前の楽譜データの演奏により試聴するための変更前試聴手段と、
前記変更後の楽譜データの演奏により試聴するための変更後試聴手段とを有することを特徴とする請求項５記載の音価変更装置。
【請求項７】
音符データ及び／又は休符データの音価を変更する倍率を指定する倍率指定ステップと、
前記倍率指定ステップにより指定された倍率で、記憶手段に記憶されている楽譜データ内の複数の音符データ及び／又は休符データの音価を変更する音価変更ステップと、
前記音価変更ステップにより音価が変更されると、前記記憶手段に記憶されている楽譜データ内の小節線の位置を変更、又は前記記憶手段に記憶されている楽譜データ内の拍子記号を変更する楽譜変更ステップと
を有することを特徴とする音価変更方法。
【請求項８】
音符データ及び／又は休符データの音価を変更する倍率を指定する倍率指定ステップと、
前記倍率指定ステップにより指定された倍率で、記憶手段に記憶されている楽譜データ内の複数の音符データ及び／又は休符データの音価を変更する音価変更ステップと、
前記音価変更ステップにより音価が変更されると、前記記憶手段に記憶されている楽譜データ内の小節線の位置を変更、又は前記記憶手段に記憶されている楽譜データ内の拍子記号を変更する楽譜変更ステップと
をコンピュータに実行させるためのプログラム。
【発明の詳細な説明】
【技術分野】
【０００１】
本発明は、音価変更装置、方法及びプログラムに関する。
【背景技術】
【０００２】
図３（Ａ）は音価変更前の楽譜を示す図であり、図３（Ｂ）は音価変更後の楽譜を示す図である。図３（Ｂ）の楽譜は、図３（Ａ）の音符及び休符の音価（長さ）を半分に変更したものである。しかし、音符及び休符の音価が半分になるだけであり、拍子記号及び小節線の位置は変更されない。図３（Ｂ）の楽譜では、拍子記号が４／４拍子であるのに、各小節の音符及び／又は休符は４／４拍子になっておらず、音楽的に誤った楽譜になってしまう。
【０００３】
また、特開平９−６２２５８号公報には、複数の発音情報で構成される演奏情報を記憶する記憶手段と、この記憶手段に記憶された複数の発音情報から任意且つ複数の発音情報を指定する指定手段と、前記発音情報を変更するための変更情報を入力する入力手段と、前記指定手段により指定された全ての発音情報を、前記入力手段により入力された変更情報に基づいて書き換える書換手段と、を有することを特徴とする演奏情報編集装置が開示されている。
【０００４】
【特許文献１】特開平９−６２２５８号公報
【発明の開示】
【発明が解決しようとする課題】
【０００５】
本発明の目的は、音符データ及び／又は休符データの音価を変更した際に音楽的に正しい楽譜に変更することができる音価変更装置、方法及びプログラムを提供することである。
【課題を解決するための手段】
【０００６】
本発明の音価変更装置は、複数の音符データ及び／又は休符データを含む楽譜データを記憶する記憶手段と、音符データ及び／又は休符データの音価を変更する倍率を指定する倍率指定手段と、前記倍率指定手段により指定された倍率で、前記記憶手段に記憶されている複数の音符データ及び／又は休符データの音価を変更する音価変更手段と、前記音価変更手段により音価が変更されると、前記記憶手段に記憶されている楽譜データ内の小節線の位置を変更、又は前記記憶手段に記憶されている楽譜データ内の拍子記号を変更する楽譜変更手段とを有することを特徴とする。
【０００７】
また、本発明の音価変更方法は、音符データ及び／又は休符データの音価を変更する倍率を指定する倍率指定ステップと、前記倍率指定ステップにより指定された倍率で、記憶手段に記憶されている楽譜データ内の複数の音符データ及び／又は休符データの音価を変更する音価変更ステップと、前記音価変更ステップにより音価が変更されると、前記記憶手段に記憶されている楽譜データ内の小節線の位置を変更、又は前記記憶手段に記憶されている楽譜データ内の拍子記号を変更する楽譜変更ステップとを有することを特徴とする。
【０００８】
また、本発明のプログラムは、音符データ及び／又は休符データの音価を変更する倍率を指定する倍率指定ステップと、前記倍率指定ステップにより指定された倍率で、記憶手段に記憶されている楽譜データ内の複数の音符データ及び／又は休符データの音価を変更する音価変更ステップと、前記音価変更ステップにより音価が変更されると、前記記憶手段に記憶されている楽譜データ内の小節線の位置を変更、又は前記記憶手段に記憶されている楽譜データ内の拍子記号を変更する楽譜変更ステップとをコンピュータに実行させるためのプログラムである。
【発明の効果】
【０００９】
音価を変更する場合には、それに応じて小節線の位置又は拍子記号を変更することにより、音楽的に正しい楽譜に変更することができる。
【発明を実施するための最良の形態】
【００１０】
図２は、本発明の実施形態による音価変更装置（コンピュータ）のハードウエア構成例を示すブロック図である。音価変更装置は、例えばパーソナルコンピュータで構成される。バス２０１には、中央処理装置（ＣＰＵ）２０２、ＲＯＭ２０３、ＲＡＭ２０４、ネットワークインタフェース２０５、入力装置２０６、出力装置２０７及び外部記憶装置２０８が接続されている。
【００１１】
ＣＰＵ２０２は、データの処理又は演算を行うと共に、バス２０１を介して接続された各種構成要素を制御するものである。ＲＯＭ２０３には、予めＣＰＵ２０２の制御手順（コンピュータプログラム）を記憶させておき、このコンピュータプログラムをＣＰＵ２０２が実行することにより、起動する。外部記憶装置２０８にコンピュータプログラムが記憶されており、そのコンピュータプログラムがＲＡＭ２０４にコピーされて実行される。ＲＡＭ２０４は、データの入出力、送受信のためのワークメモリ、各構成要素の制御のための一時記憶として用いられる。外部記憶装置２０８は、例えばハードディスク記憶装置やＣＤ−ＲＯＭ等であり、電源を切っても記憶内容が消えない。ＣＰＵ２０２は、ＲＡＭ２０４内のコンピュータプログラムを実行することにより、音価変更装置の処理を行う。
【００１２】
ネットワークインタフェース２０５は、インターネット等のネットワークに接続するためのインタフェースである。入力装置２０６は、例えばキーボード及びマウス等であり、各種指定又は入力等を行うことができる。出力装置２０７は、ディスプレイ及びプリンタ等である。出力装置２０７内のディスプレイには、図４（Ａ）〜（Ｃ）の楽譜及び図５〜図７の画面が表示される。
【００１３】
図１は、上記のコンピュータプログラムの機能を説明するためのブロック図である。コンピュータがコンピュータプログラムを実行することにより、音価変更装置（方法）が実現される。音価変更装置（方法）１００は、記憶手段（ステップ）１０１、倍率指定手段（ステップ）１０２、変更方法指定手段（ステップ）１０３、音価変更手段（ステップ）１０４、楽譜変更手段（ステップ）１０５、表示手段（ステップ）１０６、変更前試聴手段（ステップ）１０７及び変更後試聴手段（ステップ）１０８を有する。
【００１４】
図４（Ａ）〜（Ｃ）は、出力装置２０７内のディスプレイに表示される楽譜の例を示す図である。図４（Ａ）は音符及び／又は休符の音価（長さ）変更前の楽譜、図４（Ｂ）及び（Ｃ）は音符及び／休符の音価変更後の楽譜を示す。
【００１５】
記憶手段１０１は、複数の音符データ及び／又は休符データを含む楽譜データを記憶する。表示手段１０６は、図４（Ａ）に示すように、記憶手段１０１に記憶されている変更前の楽譜データを表示する。
【００１６】
図４（Ｂ）は、音符及び／又は休符の音価変更に応じて拍子記号を変更する例を示す。倍率指定手段１０２は、ユーザの指示により、音符データ及び／又は休符データの音価を変更する倍率を例えば１／２倍に指定する。また、変更方法指定手段１０３は、ユーザの指示により、拍子記号の変更を指定する。ユーザが音価変更の実行を指示すると、音価変更手段１０４は、倍率指定手段１０２により指定された１／２倍の倍率で、記憶手段１０１に記憶されている複数の音符データ及び／又は休符データの音価を変更する。例えば、４分音符は８分音符に変更され、４分休符は８分休符に変更される。楽譜変更手段１０５は、音価変更手段１０４により音価が変更されると、記憶手段１０１に記憶されている楽譜データ内の拍子記号を変更する。例えば、拍子記号は４／４拍子から４／８拍子に変更される。これにより、拍子記号と各小節の拍子とが一致し、正しい楽譜に変更することができる。
【００１７】
例えば、倍率指定手段１０２は、１／４倍、１／２倍、２倍及び４倍の４個の倍率を指定することができる。この場合、音価変更手段１０４は、音符データ及び／又は休符データの種類を変更するだけでよい。
【００１８】
楽譜変更手段１０５は、拍子記号を変更する場合、まず拍子記号の分母を変え、目標の拍子記号になれば、その拍子記号に決定する。例えば、３／４拍子の楽譜の音価を１／２倍にする場合には、拍子記号を３／（４×２）＝３／８拍子にする。目標の拍子記号にならない場合には、続いて拍子記号の分子を変え、目標の拍子記号に合わせる。例えば、２／２拍子の楽譜の音価を４倍にする場合には、拍子記号を４×２／２＝２×２／１＝４／１拍子にする。
【００１９】
図４（Ｃ）は、音符及び／又は休符の音価変更に応じて小節線の位置を変更する例を示す。倍率指定手段１０２は、ユーザの指示により、音符データ及び／又は休符データの音価を変更する倍率を例えば１／２倍に指定する。また、変更方法指定手段１０３は、ユーザの指示により、小節線の位置の変更を指定する。ユーザが音価変更の実行を指示すると、音価変更手段１０４は、倍率指定手段１０２により指定された１／２倍の倍率で、記憶手段１０１に記憶されている複数の音符データ及び／又は休符データの音価を変更する。例えば、４分音符は８分音符に変更され、４分休符は８分休符に変更される。楽譜変更手段１０５は、音価変更手段１０４により音価が変更されると、記憶手段１０１に記憶されている楽譜データ内の小節線の位置を変更する。例えば、各小節の拍子が拍子記号の４／４拍子と一致するように小節線の位置を変更する。図４（Ｃ）の１小節は、図４（Ａ）の２小節分に対応する。これにより、拍子記号と各小節の拍子とが一致し、正しい楽譜に変更することができる。
【００２０】
小節線の位置を変更する場合、音価を１／４倍に変更する場合には元の楽譜の４つの小節線毎に３つの小節線を削除する。また、音価を１／２倍に変更する場合には、元の楽譜の２つの小節線毎に１つの小節線を削除する。また、音価を２倍に変更する場合には、各小節の１／２の箇所に小節線を追加する。また、音価を４倍に変更する場合には、各小節の１／４、１／２、３／４の３箇所に小節線を追加する。
【００２１】
図５は、音価変更画面の例を示す図である。ユーザが入力装置２０６内のマウスを用いて音価の変更を指示すると、表示手段１０６は、出力装置２０７内のディスプレイに図５の音価変更画面を表示する。
【００２２】
記憶手段１０１は、複数の音符データ及び／又は休符データを含む楽譜データを記憶する。表示手段１０６は、記憶手段１０１に記憶されている変更前の楽譜データ５０１を表示する。ユーザがマウスで倍率５０３を入力すると、倍率指定手段１０２は、音符データ及び／又は休符データの音価を変更する倍率５０３を指定する。例えば、２倍の倍率が指定される。ユーザは、マウスを用いて小節線の位置の変更５０４又は拍子記号の変更５０５を選択する。その選択に応じて、変更方法指定手段１０３は、小節線の位置の変更（図４（Ｃ））５０４又は拍子記号の変更（図４（Ｂ））５０５を指定する。音価変更手段１０４は、倍率指定手段１０２により指定された倍率で、記憶手段１０１に記憶されている複数の音符データ及び／又は休符データの音価を変更する。楽譜変更手段１０５は、音価変更手段１０４により音価が変更されると、変更方法指定手段１０３の指定に応じて、記憶手段１０１に記憶されている楽譜データ内の小節線の位置を変更、又は記憶手段１０１に記憶されている楽譜データ内の拍子記号を変更する。
【００２３】
表示手段１０６は、記憶手段１０１に記憶されている変更前の楽譜データ５０１、及び音価変更手段１０４及び楽譜変更手段１０５により変更された変更後の楽譜データ５０２をならべて表示する。変更後の楽譜データ５０２は、変更前の楽譜データ５０１の音符の音価が例えば２倍に変更されている。例えば、４分音符は２分音符に変更され、２分音符は全音符に変更される。ユーザがマウスで変更前試聴ボタン５０６をクリックすると、変更前試聴手段１０７は、変更前の楽譜データ５０１を演奏し、ユーザはそれを試聴することができる。また、ユーザがマウスで変更後試聴ボタン５０７をクリックすると、変更後試聴手段１０８は、変更後の楽譜データ５０２を演奏し、ユーザはそれを試聴することができる。これにより、ユーザは、変更前の楽譜データ５０１及び変更後の楽譜データ５０２を、表示により比較することができ、さらに試聴により比較することができる。ユーザがマウスで「ＯＫ」ボタン５０８をクリックすると、変更後の楽譜データ５０２が確定し、記憶手段１０１に記憶される。
【００２４】
ユーザが倍率５０３を指定すると、「ＯＫ」ボタン５０８をクリックしなくても、その直後にリアルタイムで、表示手段１０６は、変更後の楽譜データ５０２を表示する。また、ユーザが小節線の位置の変更５０４又は拍子記号の変更５０５を指定すると、「ＯＫ」ボタン５０８をクリックしなくても、その直後にリアルタイムで、表示手段１０６は、変更後の楽譜データ５０２を表示する。
【００２５】
図６は、小節線の位置を変更する画面の例を示す図である。ユーザが図５の画面において、小節線の位置の変更５０４を選択すると、表示手段１０６は、図６の画面を表示する。小節線の位置の変更５０４のチェックボックスには、チェックが表示される。音価変更手段１０４は、倍率指定手段１０２により指定された倍率（例えば２倍）で、記憶手段１０１に記憶されている複数の音符データ及び／又は休符データの音価を変更する。楽譜変更手段１０５は、音価変更手段１０４により音価が変更されると、変更方法指定手段１０３の指定に応じて、記憶手段１０１に記憶されている楽譜データ内の小節線の位置を変更する。表示手段１０６は、記憶手段１０１に記憶されている変更前の楽譜データ５０１、及び音価変更手段１０４及び楽譜変更手段１０５により変更された変更後の楽譜データ５０２をならべて表示する。変更後の楽譜データ５０２は、変更前の楽譜データ５０１の音符の音価が例えば２倍に変更されている。なお、変更後の音符が小節線をまたぐ場合には、その音符を分割してタイでつなぐ。その詳細は、後に図８及び図９を参照しながら説明する。また、変更後の楽譜データ５０２は、拍子記号の４／４拍子に合うように、小節線が追加されている。
【００２６】
図７は、拍子記号を変更する画面の例を示す図である。ユーザが図５の画面において、拍子記号の変更５０５を選択すると、表示手段１０６は、図７の画面を表示する。拍子記号の変更５０５のチェックボックスには、チェックが表示される。音価変更手段１０４は、倍率指定手段１０２により指定された倍率（例えば２倍）で、記憶手段１０１に記憶されている複数の音符データ及び／又は休符データの音価を変更する。楽譜変更手段１０５は、音価変更手段１０４により音価が変更されると、変更方法指定手段１０３の指定に応じて、記憶手段１０１に記憶されている楽譜データ内の拍子記号を変更する。表示手段１０６は、記憶手段１０１に記憶されている変更前の楽譜データ５０１、及び音価変更手段１０４及び楽譜変更手段１０５により変更された変更後の楽譜データ５０２をならべて表示する。変更後の楽譜データ５０２は、変更前の楽譜データ５０１の音符の音価が例えば２倍に変更されている。また、変更後の楽譜データ５０２は、拍子記号が４／４拍子から４／２拍子に変更されている。
【００２７】
図８（Ａ）〜（Ｄ）は、音価の倍率を２倍にして小節線の位置を変更する方法を説明するための図である。図８（Ａ）は、元の楽譜データを示す図である。倍率指定手段１０２が２倍の倍率を指定し、変更方法指定手段１０３が小節線の位置の変更を指定する場合を例に説明する。音価変更手段１０４は、図８（Ｂ）に示すように、音符データの音価を２倍にする。具体的には、音価変更手段１０４は、音符データの種類を変更する。次に、拍子記号の４／４拍子に合う小節線を追加する場合に、その追加する小節線の時間位置をまたぐ全音符データ８０１が存在する場合には、その全音符データ８０１を、図８（Ｃ）に示すように、２個の２分音符データ８０２及び８０３に分割し、タイ８０４でつなぐ。最後に、図８（Ｄ）に示すように、２個の２分音符データ８０２及び８０３間に小節線８０５を追加する。
【００２８】
図９（Ａ）〜（Ｄ）は、音価の倍率を４倍にして小節線の位置を変更する方法を説明するための図である。図９（Ａ）は、元の楽譜データを示す図である。倍率指定手段１０２が４倍の倍率を指定し、変更方法指定手段１０３が小節線の位置の変更を指定する場合を例に説明する。音価変更手段１０４は、図９（Ｂ）に示すように、音符データの音価を４倍にする。具体的には、音価変更手段１０４は、音符データの種類を変更する。次に、拍子記号の４／４拍子に合う小節線を追加する場合に、その追加する小節線の時間位置をまたぐ倍全音符データ９０１が存在する場合には、その倍全音符データ９０１を、図９（Ｃ）に示すように、２個の全音符データ９０２及び９０３に分割し、タイ９０４でつなぐ。最後に、図９（Ｄ）に示すように、２個の全音符データ９０２及び９０３間に小節線９０５等を追加する。
【００２９】
以上のように、楽譜変更手段１０５は、音価変更手段１０４により変更された音価に応じて記憶手段１０１に記憶されている楽譜データ内の小節線の位置を変更すると、小節線をまたぐ音符データ８０１，９０１が存在する場合には、小節線をまたぐ音符データ８０１，９０１を２つに分割し、分割した音符データ８０２，８０３，９０２，９０３をタイ８０４，９０４でつなぎ、分割した音符データ８０２，８０３，９０２，９０３間に小節線８０５，９０５を追加するように楽譜データを変更する。
【００３０】
図１０（Ａ）〜（Ｄ）は、音価の倍率を１／２倍にして小節線の位置を変更する方法を説明するための図である。図１０（Ａ）は、元の楽譜データを示す図である。倍率指定手段１０２が１／２倍の倍率を指定し、変更方法指定手段１０３が小節線の位置の変更を指定する場合を例に説明する。音価変更手段１０４は、図１０（Ｂ）に示すように、音符データの音価を１／２倍にする。具体的には、音価変更手段１０４は、音符データの種類を変更する。音符データ１００１及び１００２は、小節線１００４をまたいでタイ１００３でつながれている。次に、拍子記号の４／４拍子に合うように小節線１００４を削除し、図１０（Ｃ）の楽譜データを生成する。その後、タイ１００３を削除し、２個の４分音符データ１００１及び１００２を、図１０（Ｄ）に示すように、１個の２分音符データ１００５に統合する。
【００３１】
図１１（Ａ）〜（Ｄ）は、音価の倍率を１／４倍にして小節線の位置を変更する方法を説明するための図である。図１１（Ａ）は、元の楽譜データを示す図である。倍率指定手段１０２が１／４倍の倍率を指定し、変更方法指定手段１０３が小節線の位置の変更を指定する場合を例に説明する。音価変更手段１０４は、図１１（Ｂ）に示すように、音符データの音価を１／４倍にする。具体的には、音価変更手段１０４は、音符データの種類を変更する。音符データ１１０１及び１１０２は、小節線１１０４をまたいでタイ１１０３でつながれている。次に、拍子記号の４／４拍子に合うように小節線１１０４等を削除し、図１１（Ｃ）の楽譜データを生成する。その後、タイ１１０３を削除し、２個の４分音符データ１１０１及び１１０２を、図１０（Ｄ）に示すように、１個の２分音符データ１１０５に統合する。
【００３２】
以上のように、楽譜変更手段１０５は、音価変更手段１０４により変更された音価に応じて小節線１００４，１１０４をまたいでタイ１００３，１１０３でつながる２個の音符データ１００１，１００２，１１０１，１１０２間の小節線１００４，１１０４を削除する場合には、小節線１００４，１１０４をまたいでタイ１００３，１１０３でつながる２個の音符データ１００１，１００２，１１０１，１１０２を１個の音符データ１００５，１１０５に統合し、小節線１００４，１１０４をまたぐタイ１００３，１１０３を削除するように楽譜データを変更する。
【００３３】
本実施形態によれば、音価の変更を指示すると、自動的に小節線の位置の変更又は拍子記号の変更が行われる。そのため、音価の変更を行った後、ユーザが手動で個別に小節線の位置の変更又は拍子記号を変更する必要がない。また、ユーザは、状況に応じて、小節線の位置の変更又は拍子記号の変更を選択することができる。また、音価の変更を指示すると、その音価の変更に応じて小節線の位置又は拍子記号を変更するので、音楽的に正しい楽譜に変更することができる。
【００３４】
本実施形態は、図２のコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムを記録したコンピュータ読み取り可能な記録媒体等のコンピュータプログラムプロダクトも本発明の実施形態として適用することができる。上記のプログラム、記録媒体、伝送媒体及びコンピュータプログラムプロダクトは、本発明の範疇に含まれる。記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００３５】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【図面の簡単な説明】
【００３６】
【図１】本発明の実施形態によるコンピュータプログラムの機能を説明するためのブロック図である。
【図２】本発明の実施形態による音価変更装置（コンピュータ）のハードウエア構成例を示すブロック図である。
【図３】図３（Ａ）は音価変更前の楽譜を示す図であり、図３（Ｂ）は音価変更後の楽譜を示す図である。
【図４】図４（Ａ）〜（Ｃ）は出力装置内のディスプレイに表示される楽譜の例を示す図である。
【図５】音価変更画面の例を示す図である。
【図６】小節線の位置を変更する画面の例を示す図である。
【図７】拍子記号を変更する画面の例を示す図である。
【図８】図８（Ａ）〜（Ｄ）は音価の倍率を２倍にして小節線の位置を変更する方法を説明するための図である。
【図９】図９（Ａ）〜（Ｄ）は音価の倍率を４倍にして小節線の位置を変更する方法を説明するための図である。
【図１０】図１０（Ａ）〜（Ｄ）は音価の倍率を１／２倍にして小節線の位置を変更する方法を説明するための図である。
【図１１】図１１（Ａ）〜（Ｄ）は音価の倍率を１／４倍にして小節線の位置を変更する方法を説明するための図である。
【符号の説明】
【００３７】
１００  音価変更装置
１０１  記憶手段
１０２  倍率指定手段
１０３  変更方法指定手段
１０４  音価変更手段
１０５  楽譜変更手段
１０６  表示手段
１０７  変更前試聴手段
１０８  変更後試聴手段
２０１  バス
２０２  ＣＰＵ
２０３  ＲＯＭ
２０４  ＲＡＭ
２０５  ネットワークインタフェース
２０６  入力装置
２０７  出力装置
２０８  外部記憶装置
【図１】
2010186063.tif 000003
【図２】
2010186063.tif 000004
【図３】
2010186063.tif 000005
【図４】
2010186063.tif 000006
【図５】
2010186063.tif 000007
【図６】
2010186063.tif 000008
【図７】
2010186063.tif 000009
【図８】
2010186063.tif 000010
【図９】
2010186063.tif 000011
【図１０】
2010186063.tif 000012
【図１１】
2010186063.tif 000013